(57)【要約】【課題】  アンカー部材を正確に土台に配置すること。【解決手段】  アンカー部材固定システムは、固定部材と、該部材に固定された鉄筋ケージ構造体とを含む。固定システムは、少なくとも第１の土台配置ガイドを含む。アンカー部材は、敷土台アンカー及びアンカーボルトを含むことができ、システムは、土台における、より正確な部材又は複数の部材の配置を与える。【選択図】      図１
2005325683.tif 000002
【特許請求の範囲】
【請求項１】
アンカー部材固定システムであって、
一般に上方向に延びる固定領域を有する固定部材、及び、
前記部材に固定され、少なくとも第１の土台配置ガイドを有する鉄筋ケージ構造体、
を備えることを特徴とするシステム。
【請求項２】
前記固定部材が敷土台アンカーである請求項１に記載のシステム。
【請求項３】
前記固定領域が固定ストラップからなる請求項２に記載のシステム。
【請求項４】
前記固定部材がアンカーボルトである請求項１に記載のシステム。
【請求項５】
前記固定領域がねじ付き領域である請求項４に記載のシステム。
【請求項６】
前記ケージ構造体が上部棒及び底部棒を含み、前記固定部材が前記上部棒及び前記底部棒に取り付けられた請求項１に記載のシステム。
【請求項７】
前記鉄筋ケージ構造体が、第２の基部棒と第１及び第２の側部棒とを含んで、該ケージ構造体のための長方形基部を形成するようになった請求項６に記載のシステム。
【請求項８】
前記長方形基部が、前記長方形により形成された平面内に配置された固定構造体を含む請求項７に記載のシステム。
【請求項９】
前記システムが、前記固定部材と第２の固定部材とを含む請求項１に記載のシステム。
【請求項１０】
前記土台配置ガイドが、フォーム位置決め構造体からなる請求項１に記載のシステム。
【請求項１１】
前記土台配置ガイドが、土台のコンクリートフォームからの前記構造体の適当な距離を示す水平方向部分を含む請求項１０に記載のシステム。
【請求項１２】
前記水平方向部分が、少なくとも１つの孔を含んで、ファスナがこれを通るのを可能にするようになった請求項１０に記載のシステム。
【請求項１３】
少なくとも２つの土台配置ガイドを含む請求項１０に記載のシステム。
【請求項１４】
前記土台配置ガイドが前記上部棒に取り付けられた請求項１０に記載のシステム。
【請求項１５】
前記固定ボルトが、前記ねじ付き領域とは反対側に端部ナットを含む請求項５に記載のシステム。
【請求項１６】
前記固定ボルトが、前記ねじ付き領域とは反対側にＳ字形状端部を含む請求項５に帰記載のシステム。
【請求項１７】
前記ケージ構造体が、少なくとも上部棒と、少なくとも１つの底部棒と、第１側部棒と、第２側部棒とを含み、各側部棒が前記上部棒と前記少なくとも１つの底部棒とを連結しており、前記固定部材が該上部棒及び該少なくとも１つの底部棒に結合された請求項１に記載のシステム。
【請求項１８】
前記ケージ構造体が、少なくとも前底部棒及び後底部棒と、第１基部棒及び第２基部棒とを含み、各基部棒が前記前底部棒に結合された第１端部と、前記後底部棒に結合された第２端部を有し、これによって長方形基部を形成するようになった請求項１７に記載のシステム。
【請求項１９】
前記ケージ構造体が、第１支持棒及び第２支持棒を含み、前記第１支持棒が、前記上部棒、及び前記第１基部棒と前記前底部棒との交差部分に連結されており、前記第２支持棒が、該上部棒、及び前記第２側部棒と該前底部棒との交差部分に連結された請求項１８に記載のシステム。
【請求項２０】
前記上部棒及び前記前底部棒に結合された少なくとも２つの固定部材を含む請求項１９に記載のシステム。
【請求項２１】
前記ケージ構造体が、少なくとも上部棒と、少なくとも１つの底部棒と、第１支持棒及び第２支持棒とを含み、前記第１及び第２支持棒が、前記上部棒と前記少なくとも１つの底部棒とを連結しており、前記固定部材が該上部棒及び該少なくとも１つの底部棒に結合された請求項１に記載のシステム。
【請求項２２】
前記ケージ構造体が、少なくとも前底部棒及び後底部棒と、第１基部棒及び第２基部棒とを含み、各基部棒が前記前底部棒に結合された第１端部と、前記後底部棒に結合された第２端部とを有し、これによって長方形基部を形成するようになった請求項１７に記載のシステム。
【請求項２３】
前記ケージ構造体が、第１支持棒及び第２支持棒と、第３支持棒及び第４支持棒とを含み、前記第１支持棒が、前記上部棒、及び前記第１基部棒と前記前底部棒との交差部分に連結されており、前記第２支持棒が、該上部棒、及び前記第２側部棒と該前底部棒との交差部分に連結されており、前記第３の支持棒が、該上部棒、及び該第１基部と前記後底部棒との交差部分に連結されており、前記第２の支持棒が、該上部棒、及び該第２の側部棒と該後底部棒との交差部分に連結された請求項１８に記載のシステム。
【請求項２４】
耐力壁のためのアンカーシステムであって、
耐力壁を土台要素に固定するように設計された少なくとも１つのアンカー部材、及び、
前記少なくとも１つのアンカー部材に固定された土台ケージ、
を備えることを特徴とするシステム。
【請求項２５】
前記土台ケージが鉄筋からなる請求項２４のシステム。
【請求項２６】
前記土台ケージが、上部棒及び少なくとも１つの底部棒を含み、前記アンカー部材が、前記上部棒及び前記少なくとも１つの底部棒に取り付けられた請求項２４に記載のシステム。
【請求項２７】
前記土台ケージが、第１及び第２の底部棒と、第１及び第２の基部棒とを含み、各々の前記基部棒が、前記第１の基部棒を前記第２の基部棒に連結して、該土台ケージのための長方形基部を形成するようになった請求項２４に記載のシステム。
【請求項２８】
前記長方形基部が、前記第１又は第２の底部棒のうちの少なくとも１つに結合された固定構造体を含む請求項２７に記載のシステム。
【請求項２９】
前記システムが、少なくとも第１のアンカー部材と、第２のアンカー部材とを含む請求項２４に記載のシステム。
【請求項３０】
前記土台ケージが、少なくとも１つの配置ガイドを含む請求項２４に記載のシステム。
【請求項３１】
前記配置ガイドがフォーム位置決め構造体からなる請求項３０に記載のシステム。
【請求項３２】
前記土台配置ガイドが、土台フォームからの前記構造体の適当な距離を示す水平方向部分を含む請求項３１に記載のシステム。
【請求項３３】
前記水平方向部分が、少なくとも１つの孔を含んで、ファスナがこれを通るのを可能にするようになった請求項３２に記載のシステム。
【請求項３４】
少なくとも２つの土台配置ガイドを含む請求項３０に記載のシステム。
【請求項３５】
前記土台配置ガイドが前記上部棒に取り付けられた請求項３０に記載のシステム。
【請求項３６】
前記固定部材がアンカーボルトであり、ねじ付き部分と、前記ねじ付き部分とは反対側に端部ナットを含む請求項２４に記載のシステム。
【請求項３７】
前記固定部材がアンカーボルトであり、ねじ付き部分と、前記ねじ付き部分とは反対側にＳ字形状端部を含む請求項２４に記載のシステム。
【請求項３８】
前記固定部材が敷土台アンカーである請求項２４に記載のシステム。
【請求項３９】
建築物のためのアンカーシステムであって、
固定端部を有するアンカー部材、及び、
前記アンカー部材の前記固定端部が前記ケージの上方に延びるような該アンカー部材に対する定位置において該部材に固定され、土台位置決め構造体を有するケージ、
を備えることを特徴とするシステム。
【請求項４０】
前記アンカー部材がアンカーボルトである請求項３９に記載のシステム。
【請求項４１】
前記固定端部がねじ付き端部である請求項４０に記載のシステム。
【請求項４２】
前記アンカー部材が敷土台アンカーである請求項３９に記載のシステム。
【請求項４３】
前記固定端部が固定ストラップである請求項３９に記載のシステム。
【請求項４４】
前記ケージ構造体が、上部棒及び底部棒を含み、前記アンカー部材が前記上部棒及び前記底部棒に取り付けられた請求項３９に記載のシステム。
【請求項４５】
前記鉄筋ケージ構造体が、第２基部棒と、第１及び第２の側部棒とを含んで、該ケージ構造体のための長方形基部を形成するようになった請求項３９に記載のシステム。
【請求項４６】
前記システムが、前記アンカー部材及び第２のアンカー部材を含む請求項３９に記載のシステム。
【請求項４７】
前記アンカー部材が、前記ねじ付き領域とは反対側に端部ナットを含む請求項３９に記載のシステム。
【請求項４８】
前記アンカー部材がアンカーボルトであり、ねじ付き領域とは反対側にＳ字形状端部を含む請求項３９に記載のシステム。
【請求項４９】
前記システムが、少なくとも第１アンカーボルト及び第２アンカーボルトを含む請求項３９に記載のシステム。
【請求項５０】
前記土台位置決め構造体が、前記ケージから延びて、土台フォームからの前記構造体の適当な距離を示す水平方向梁を含む請求項３９に記載のシステム。
【請求項５１】
前記水平方向部分が、少なくとも１つの孔を含んで、ファスナがこれを通るのを可能にするようになった請求項５０に記載のシステム。
【請求項５２】
少なくとも２つの土台配置ガイドを含む請求項５０に記載のシステム。
【請求項５３】
前記土台配置ガイドが、垂直方向部分によって前記上部棒に取り付けられた請求項５０に記載のシステム。
【請求項５４】
前記固定ボルトが、前記ねじ付き領域とは反対側に端部ナットを含む請求項３９に記載のシステム。
【請求項５５】
前記固定ボルトが、前記ねじ付き領域とは反対側にＳ字形状端部を含む請求項３９に記載のシステム。
【請求項５６】
建築物のための土台支持システムであって、
ねじ付き端部を有する第１アンカーボルト、
ねじ付き端部を有する第２アンカーボルト、及び、
上部分及び底部分を有するケージ構造体、
を備え、前記第１及び第２アンカーボルトが、少なくとも前記上部分及び前記底部分に固定されて、各々の該第１及び第２のアンカーボルトの前記ねじ付き端部が該上部分の上方に延びるようになっており、
位置決め構造体が前記ケージ構造体に結合された、
ことを特徴とするシステム。
【請求項５７】
前記ケージ構造体が、上部棒及び底部棒を含み、前記アンカーボルトが、前記上部棒及び前記底部棒に取り付けられた請求項５６に記載のシステム。
【請求項５８】
前記ケージ構造体が、第２基部棒と、第１及び第２の側部棒とを含んで、前記ケージ構造体のための長方形基部を形成するようになった請求項５６に記載のシステム。
【請求項５９】
前記底部分が、少なくとも前底部棒及び後底部棒と、第１基部棒及び第２基部棒とを含んでおり、各基部棒が前記前底部棒に結合された第１端部と、前記後底部棒に結合された第２端部とを有し、これによって長方形基部が形成されるようになった請求項５６に記載のシステム。
【請求項６０】
前記ケージ構造体が第１支持棒及び第２支持棒を含み、前記第１支持棒が、前記上部棒、及び前記第１基部棒と前記前底部棒との交差部分に連結されており、前記第２支持棒が、該上部棒、及び前記第２側部棒と該前底部棒との交差部分に連結された請求項５９に記載のシステム。
【請求項６１】
前記ケージ構造体が、少なくとも上部棒と、少なくとも１つの底部棒と、第１支持棒及び第２支持棒とを含み、前記第１及び第２の支持棒が、前記上部棒と前記少なくとも１つの底部棒とを連結しており、前記固定ボルトが該上部棒及び該少なくとも１つの底部棒に結合された請求項５６に記載のシステム。
【請求項６２】
前記ケージ構造体が、少なくとも前底部棒及び後底部棒と、第１基部棒及び第２基部棒とを含み、各基部棒が前記前底部棒に結合された第１端部と、前記後底部棒に結合された第２端部とを有し、これによって長方形基部が形成されるようになった請求項６１に記載のシステム。
【請求項６３】
予め成形された構造体を土台に固定するための手段、及び、
前記固定するための手段を土台に位置決めするための手段、
を備え、
前記固定するための手段が前記固定するための手段に取り付けられた、
ことを特徴とする装置。
【請求項６４】
土台を建設するための方法であって、
少なくとも１つのアンカー部材を鉄筋ケージ土台支持体に結合し、
前記鉄筋ケージ上の位置決め部材を土台フォームに対して位置合わせすることにより、該鉄筋ケージを土台における或る位置に配置し、
コンクリートを前記土台フォームに注ぐ、
ことからなる方法。
【請求項６５】
少なくとも２つのアンカー部材を前記鉄筋ケージに結合することを含む請求項６４に記載の方法。
【請求項６６】
前記鉄筋ケージを前記土台フォームに固定するステップを含む請求項６４に記載の方法。
【発明の詳細な説明】
【技術分野】
【０００１】
本発明は、アンカーシステムを含む建設技術に向けられる。
【背景技術】
【０００２】
建築物は、自然からの厳しい力を受ける。特に、強風及び地震は、建築物の安定性に対して相当な歪みをもたらす力を生じさせる。これらの力を適当に分散させることは、構造体の安定性を確実にするのに重要である。建築物の安定性の中核となるのは、建築物の土台であるため、建築物の壁を土台に固定することは、構造性能を大いに改善する。
【０００３】
住宅及び小さい建築物のような建造物においては、横方向支柱システムは、典型的には、互いに間隔をもって配設され、水平方向の上部プレート及び底部プレートに取り付けられた垂直方向スタッドを含む。底部プレートは、典型的には、床部ダイアフラム又は土台に取り付けられている。支柱システムは、典型的には、さらに、スタッド、上方プレート及び／又は下方プレートに取り付けられた被覆材料を含んで、横方向の力に対する構造的応答を増加させる。用いられる被覆材料は、一般には、配向されたストランドボード（ＯＳＢ）又は合板であるが、繊維板、集成材及び乾式壁（石膏ボード）もまた用いられる。これの代わりに又はこれに加えて、軽量フレーム建造物の壁部分は、垂直方向スタッドの間に配置して、該スタッド及び上部及び底部の連結プレートに取り付けることができる、プレハブの耐力壁部分を含むことができる。被覆材料及びプレハブパネルは、さらに、隣接するドア及び窓のフレームに配置して、これらの位置における横方向の力に対する応答を改善することができる。
【０００４】
耐力壁は、地震活動、強風、洪水及び積雪といった、軽量フレーム建造物の構造的一体性に対して破壊的な影響をもつ可能性がある自然現象に対抗するように開発された。耐力壁及び横方向支柱システムが確立される以前には、これらの自然現象により発生した横方向の力は、多くの場合、壁の上部を該壁の底部に対して横方向に移動させ、この移動が壁の構造上の欠陥、幾つかの場合においては、建築物の崩壊をもたらすことがあった。軽量フレーム建造物の壁部分における耐力壁は、横方向の安定性を与え、この壁部分における横方向の力が、壁の上部と床部ダイアフラム又は建築物の土台との間の耐力壁を通って伝達されるようにして、この横方向の力が、壁又は建築物に対する構造的影響なしで分散されるのを可能にする。
【０００５】
通常のプレハブ耐力壁は、土台から延びるアンカーボルトに固定されている。土台におけるアンカーボルトは、さらに、プレハブではない環境においては留め具と併せて用いることができる。多くの場合、コンクリートの建設業者は、アンカーボルトを土台に配置して、これらの耐力壁要素を固定する。これらのボルトは、耐力壁要素と嵌合するために、特定の位置に配置されねばならない。建設業者がアンカーボルトの置き場所を間違えた場合には、コンクリートが固まるまでこのことは認識されないので、問題をもたらすことになる。ボルトは耐力壁ユニットの性能を確実にするのに重要であるため、置き間違えは、費用がかかることになる。
【０００６】
したがって、耐力壁の適当な性能は、少なくとも部分的には、土台の構造的一体性に依存する。敷土台アンカーを含む他のアンカーファスナもまた、土台における正確な位置決めから利益を得ることができる。
【０００７】
建設及び建築業においては、土台のようなコンクリート構造体は、補強手段を要求することが周知である。このような補強手段は、典型的には、一般に「鉄筋」として知られる、鉄棒バー又はロッドである。
【０００８】
コンクリートの土台を形成するために追従される一般的な手順は、木材のコンクリートフォームを造り、土台の長さだけ延びるロッド形態の、又は補強ケージ形態の鉄筋を該フォームの中に挿入して、コンクリートを該フォームの中に注ぐことを含む。
【発明の開示】
【発明が解決しようとする課題】
【０００９】
コンクリート建設業者が直面する問題は、アンカーボルトを適当に配置して、土台の生成中にこれらの位置を保証することである。通常、建設業者は、コンクリートのフォームに取り付けられた米国特許番号第６，０６５，７３０号に開示されるもののようなテンプレート又はプラスチックのボルト保持装置を用いて、コンクリートが注がれ、振動されて固まる間に、ボルトを所定の位置に保持する。
【課題を解決するための手段】
【００１０】
本発明は、アンカーボルト、敷土台アンカー、その他の木材スタッド又は耐力壁のようなプレハブ構造体のための建造物コネクタを土台に配置する際の正確さ及び性能を高めること、及び、このような構造体を用いて、建造物の一体性を高めることに向けられる。
【００１１】
本発明は、概略的に述べると、アンカー部材固定システムからなる。一実施形態においては、固定システムは、一般に上方向に延びるねじ付き領域を有する固定ボルト、及び該ボルトに固定され、少なくとも第１の土台配置ガイドを有する鉄筋ケージ構造体を含む。代替的な実施形態においては、アンカーボルトではなく、敷土台アンカーのような他のアンカー部材を使用してもよい。本発明は、アンカーボルトのためのケージ構造体を与えることと併せて示されるが、コンクリート内に定置されるあらゆるアンカー部材を本発明のケージシステムにおいて使用してもよいことが認識される。
【００１２】
さらに別の態様においては、ケージ構造体は上部棒及び底部棒を含み、固定アンカー部材又はボルトが前述の上部棒及び底部棒に取り付けられる。ケージは、第２の基部棒と、第１及び第２の側部棒とを含み、前述のケージ構造体のための長方形基部を形成する。様々な種類のアンカーボルト及びアンカー部材を本発明によるシステムにおいて用いることができる。
【００１３】
さらに、ケージ構造体は、少なくとも上部棒と、少なくとも１つの底部棒と、第１側部棒と、第２側部棒とを含むことができ、各側部棒は、該上部棒と該少なくとも１つの底部棒とを連結しており、前述の固定部材は、前述の上部棒及び前述の少なくとも１つの底部棒に結合されている。さらに、ケージ構造体は、少なくとも前底部棒及び後底部棒と、第１基部棒及び第２基部棒とを含むことができ、各基部棒は、前述の前底部棒に結合された第１端部と、前述の後底部棒に結合された第２端部とを有して、これによって長方形基部を形成する。
【００１４】
あらゆる好適に成形されたケージ構造体を本発明と併せて使用することができ、本発明は、ここに図示され述べられる特定のケージ構造体に限定されるものではないことを認識されたい。
【００１５】
別の実施形態においては、本発明は、耐力壁のためのアンカーシステムを備える。アンカーシステムは、耐力壁を土台要素に固定するように設計された少なくとも１つのアンカーボルトと、前述の少なくとも１つのアンカーボルトに固定された土台ケージとを含む。
【００１６】
さらに別の実施形態においては、本発明は、建築物のためのアンカーシステムである。アンカーシステムは、ねじ付き端部を有するアンカーボルトと、土台の中に含まれるようにされ、該アンカーボルトの該ねじ付き端部が該ケージの上方に延びるような該アンカーボルトに対する定位置で該ボルトに固定されており、土台位置決め構造体を有するケージとを含む。
【００１７】
さらに別の実施形態においては、本発明は、建築物のための土台支持システムである。本実施形態においては、本発明は、各々がねじ付き端部を有する第１アンカーボルト及び第２アンカーボルトを含む。土台支持システムは、上部分及び底部分を有するケージ構造体を含む。第１及び第２のアンカーボルトは、各々の第１及び第２のアンカーボルトのねじ付き端部が上部分の上方に延びるように、少なくとも前述の上部分及び底部分に固定される。さらに、位置決め構造体がケージ構造体に結合される。
【００１８】
さらに別の実施形態においては、本発明は、予め成形された構造体を土台に固定するための手段、及び該固定するための手段を土台の中に位置決めするための手段を含む装置であり、該固定するための手段は固定するための手段に取り付けられる。
【００１９】
さらに別の実施形態においては、本発明は、土台の建設するための方法である。この方法は、少なくとも１つのアンカーボルトを鉄筋ケージ土台支持体に結合するステップ、ケージ上の位置決め部材を土台フォームに対して位置合わせすることにより、鉄筋ケージを土台における或る位置に配置するステップ、及びコンクリートを該土台フォームに注ぐステップを含む。
【００２０】
本発明は、土台を注ぐ前に、建築物の土台フォームに対して固定的な関係のアンカーボルトを与えることにより、建築物の土台に取り付けられたプレハブ構造体がこれに対して固定的に取り付けられることを確実にする独特な方法及び装置を提供する。
【００２１】
本発明のこれらその他の目的及び利点は、本発明の好ましい実施形態が図面と併せて述べられる以下の説明からより明らかに示されるであろう。
【発明を実施するための最良の形態】
【００２２】
本発明は、その特定の実施形態に関して述べられる。本発明の他の目的、特徴及び利点は、明細書及び図面を参照することにより明らかになるであろう。
【００２３】
本発明によれば、アンカーボルト土台システムが提供される。耐力壁のようなプレハブ構造体が用いられる建設プロジェクトにおいては、該構造体を固定するのに用いられるアンカーボルトの配置が、建設の根本的な要素になる。ボルトが不適当に配置されている場合には、修正のために、ボルトを剪断し、土台の中に穴を穿孔して、該ボルトをエポキシにより所定の位置に固定することを含む。幾つかの場合においては、修正には、土台を破壊して再構築することを含む場合がある。耐力壁の張力側及び圧縮側の両方において、該耐力壁の構造的一体性を高めることは、土台コンクリートにおける鉄筋の使用を増加させることにより達成することができる。しかし、より高い留め具及び耐力壁容量に対する工学的要求は、コンクリートの連結において限度をもたらした。
【００２４】
本発明によれば、アンカーケージシステムが提供される。このシステムは、鉄筋のケージ、及び該ケージ及び土台に対して正確に配置されたアンカーボルトを与える。ケージは、建築基準又は構造技術者により与えられた要求される張力仕様及び圧縮仕様に必要な鉄筋構成を与えるように設計される。１つの例示的な実施形態においては、本発明は、最小２５００ＰＳＩ強度のコンクリートと併せて用いるのに好適である。
【００２５】
各々の壁の長さの要求を満たすように設計されたどのような数のケージ構成も、留め具アンカーボルトの能動的な配置、並びに、必要な端部及び縁の距離を与えるのに用いることができる。このシステムは、予め成形された構造体の全性能を確実にする。
【００２６】
図１及び図２Ａから図２Ｃまでは、本発明によるアンカーケージシステムの第１の実施形態を示す。図１は、本発明の第１の実施形態によるアンカー組立体１００の斜視図を示す。図２Ａはアンカー構造体１００の側面図であり、図２Ｂは該アンカー構造体の正面図であり、図２Ｃは該固定構造体の平面図である。
【００２７】
図１は、コンクリートの土台５５（想像線による）におけるケージシステム１００を示す。本発明によれば、固定ケージシステムは、アンカーボルト１２０及び１２２が、耐力壁その他の構造体を土台に固定するように正確に配置されることを可能にする。ケージシステム１００は、フォーム又は敷土台５０に固定されており、この一部が図１に示される。鉄筋又は別個の補強ケージの補強鋼をフォームの中に挿入するのではなく、アンカーケージシステム１００が使用される。
【００２８】
アンカー構造体１００は、耐力壁を土台に固定するために用いられるのに好適であり、コンクリートの土台５５の上方に延びるように設計されたねじ付き部分１２４及び１２６のそれぞれを有する２つのアンカーボルトを１２０及び１２２を含み、耐力壁その他の固定要素がこれに固定されるのを可能にする。耐力壁の例は、米国特許出願連続番号１０／７３４，８７０号、並びに、米国特許公開番号２００３／０００９９６４号に示されている。アンカーボルトの例は、米国意匠特許番号第３５４，９０５号に示されており、部品名ＳＳＴＢ及びＳＳＴＬで、Ｓｉｍｐｓｏｎ  Ｓｔｒｏｎｇ−Ｔｉｅ  Ｃｏｍｐａｎｙ  Ｉｎｃ．から入手可能である。幾多の種類の耐力壁構成（及び実際は他のプレハブ構造体の種類）を本発明の内容において用いることができることを理解されたい。上に開示されたもの以外の他の種類のアンカーボルト、並びに、敷土台のような他のアンカー部材を本発明に組み込むことができる。アンカーボルト１２０及び１２２は、固定ケージ１０１に固定される。ケージ１０１は、鋼鉄筋又は同様な補強材料から形成してもよいし、一連の細長い棒又はロッドから構築してもよい。鋼ロッドは、鉄筋タイにより互いに接合してもよいし、互いに溶接してもよいし、或いは、多数の既知の手段のいずれかにより、ここに示される構造体に固定してもよい。適用可能な建築基準の条件下で、土台を支持するのに十分なケージの代替的な構成は、本発明の範囲内にあると想定される。敷土台アンカーのような代替的なアンカー部材は、ケージの上部及び該アンカーの埋め込まれた部分の上方に延びるストラップのような固定部分を有する。
【００２９】
一実施形態においては、アンカーボルト１２０及び１２２は、タイ取付具１６２及び１６６（アンカーボルト１２０のための）、１６４及び１６８（アンカーボルト１２２のための）により、アンカーケージ１００に固定される。本実施形態において、アンカーボルト１２０及び１２２を固定ケージシステム１０１に固定することは、該ボルト１２０及び１２２を土台に正確に配置することを確実にする。したがって、コンクリートが注がれている間にアンカーボルト１２０及び１２２が所定の位置に残る、該アンカーボルト１２０及び１２２をケージ１０１に固定するためのあらゆる好適な手段を本発明により用いることができる。或いは、アンカー部材は、ケージ自体の一部を形成することができる。
【００３０】
図１及び図２に示される実施形態においては、アンカーボルトはＪ字形状の構成を有する。図４ないし図５に示されるような代替的なボルト１２０及び１２２の構成、並びに、業界では周知の他のボルト形状を使用してもよい。図１及び図２の実施形態においては、アンカーボルトの湾曲端部１２０ａ及び１２２ａは、棒１１６、１１８、１０６及び１０８により形成された長方形の中にある。ボルト１２０及び１２２は、コンクリートの土台に埋め込まれたときに引っ張り力に対する抵抗を増加させるように、ナット端部１２０ｂ及び１２２ｂ部分を含むことができる。
【００３１】
ケージ１０１は、上部棒１１４、側部棒１０６及び１０８、前底部棒１１６、基部棒１０４及び１０２、及び後底部棒１１８を有する鉄筋構造体を備える。本実施形態においては、アンカーボルト１２０及び１２２は、上部棒１１４及び前底部棒１１６に連結される。代替的な実施形態においては、アンカーボルト１２０及び１２２は、構造体１０１の異なる要素に取り付けられてもよい。側部棒１０６、１０８、及び上部棒１１４は、該上部棒１１４及び該側部棒１０６及び１０８を構成するために２点で曲げられた、単一の連続する鉄筋部品からなることができる。同様に、前底部棒１１６、基部棒１０２及び１０４、及び後底部棒１１８は、１つ又はそれ以上の連結された又は連続した鉄筋部品からなることができる。支持棒１１０は、基部棒１０２と前底部棒１１６との交差部分、及び側部棒１０６と上部棒１１４との交差部分に連結される。支持棒１１２は、基部棒１０４と前底部棒１１６との交差部分、及び側部棒１０８及び上部棒１１４との交差部分に連結される。特定の構成のケージ１０１は、該ケージが、アンカーボルト１２０及び１２２を固定するための構造的に簡潔な鉄筋ケージを与える限りは、多数の好適な実施形態により達成できることを認識されたい。
【００３２】
さらに、アンカーケージ１０１には、２つのケージ位置決め構造体１３０、１４０が与えられる。一実施形態においては、構造体１３０及び１４０の各々は、水平方向部分１３６及び１４６、及び垂直方向部分１３８及び１４８のそれぞれを含む。構造体１３０及び１４０は、それぞれの水平方向部分及び垂直方向部分を形成するように曲げられた単一の鋼部品で形成することができる。構造体１３０は、溶接その他の好適な手段を通して、垂直方向部分１３８、１４８によって、上部棒又は構造体１０１に結合される。水平方向プレート１３６、１４６は、その一端と各々のアンカーボルト１２０及び１２２の縁との間に或る距離（「Ｄ１」）だけ延びる。このことは、構造体１０１０が、土台に対して正確に配置されることを可能にする。構造体１３０及び１４０は、水平方向部分１３６及び１４６のそれぞれにおける貫通孔１３２、１３４及び１４２及び１４４を通して与えられるあらゆる数の種類のファスナを用いてボード５０を形成するように固定することができる。
【００３３】
後棒１１８に結合された基部固定構造体１７０、１７２、１７４をさらに与えることができる。基部固定構造体１７０、１７２及び１７４は、後棒１１８に沿って等距離で該後棒１１８に溶接された平らな鋼リングからなることができる。各構造体は、棒１０２、１０４、１１８及び１１６により形成された平面において平らに、ケージ１０１がある表面上に当接するように配置される。構造体１７０、１７２、１７４を用いて、ケージ１０１を下にある表面に取り付けることができる。
【００３４】
一実施形態においては、ケージ１０１は、第４グレードの４０鉄筋で形成されるが、本発明の範囲から離れることなく、他のグレード及び大きさの鉄筋を用いてもよいことを理解されたい。種々の大きさ及び構成のケージが本発明における使用に適している。一実施形態においては、構造体１０１の高さ（「Ｈ」）はおよそ２２インチ、側脚部１０２及び１０４の長さ「Ｗ」はおよそ６インチ、上部棒１１４及び底部棒１１６の長さは、およそ２４インチとすることができる。さらに別の実施形態においては、アンカーボルトは、３．５インチないし７インチの距離だけ棒１１４の上方に延びる部分１２４及び１２６を有する。ボルトの長さは、１７インチと３７インチの間で異なることができるが、どのような特定の寸法にも限定されるものではない。
【００３５】
作動において、建設業者が、コンクリートの土台のために土台フォーム５０を生成すると、別個の鉄筋を設置し、テンプレートその他のホルダを用いて、アンカーボルトを土台に対して配置するのではなく、本発明の鉄筋ケージシステムを、それぞれの位置決め及び／又は固定構造体を用いて設置することができる。棒１０２、１０４、１１８及び１１６により形成される長方形基部は、ケージシステム１００がフォーム内の地面に配置されることを可能にして、フォームボードに対する取り付けを助長する。フォームボードに対する取り付けは、アンカーボルト１２０及び１２２が、該フォーム内、及び後続の土台において正確な位置に配置されることを確実にする。システム１００が所定の位置に置かれると、コンクリートがフォームの中に注がれる。コンクリートがフォームの中に注がれると、トラップされた空気を排除して、補強棒の周りを完全に満たすように、該コンクリートは該フォーム内で突き固められねばならない。このことは、一般には、反復的に、ロッド、空間又は浸漬式振動器を、隙間ない間隔でコンクリートの中に押し込むことにより行われる。本発明を用いることにより、振動中のアンカーボルトの位置的安定性が高められるようになる。
【００３６】
鉄筋構造体及びコンクリートを実施するための建築基準に準拠する方法により、アンカーボルト１２０及び１２２を、建設プロジェクトの土台に固定するのに、どのような数の好適な構造体１０１を用いてもよいことを認識されたい。さらに、本発明により使用される鉄筋ケージ１０１の性質は、要求される補強物の量に応じて変更できることを認識されたい。
【００３７】
図３Ａから図３Ｃは、本発明の代替的な実施形態を示す。ケージ３０１は、上部棒３１４、側部棒３０６及び３０８、前底部棒３１６、基部棒３０４及び３０２、及び後底部棒３１８を有する鉄筋構造体を備える。本実施形態においては、アンカーボルト３２０及び３２２は、上部棒３１４及び前棒３１６に連結される。代替的な実施形態においては、アンカーボルト３２０及び３２２は、構造体１０１の異なる要素に取り付けられてもよい。本実施形態においては、付加的な支持棒３１１及び３１３が加えられ、基部棒３０２及び３０４は、側部棒３０６、３０８の後方に延びる。構造体３０１は、１つ又はそれ以上の鉄筋ロッドから形成される。支持棒３１０及び３１２は、基部棒３０２、３０４と前底部棒３１６との交差部分、及び側部棒３０６、３０８と上部棒３１４との交差部分で連結される。
【００３８】
本実施形態においては、基部棒３０２及び３０４の寸法は、図１及び図２の実施形態におけるものと同じままとすることができる。各アンカーボルト３２０及び３２２は、Ｊ字形状のボルトであるが、図１及び図２の実施形態におけるように、代替的な構成からなることができる。図３Ａないし図３Ｃの実施形態においては、タイ３６６及び３６８に隣接して取り付けられたボルトの湾曲した端部は、図Ｃに最もよく示されるように、棒３０２、３０４、３１６、及び３１８により形成される長方形の外側に位置される。ボルトの位置は、ねじ付き部分が垂直方向に真っ直ぐなまま（棒３０２、３０４、３１６、及び３１８により形成される長方形により形成される平面に対して直角に）残る限りは、ケージに対して変化してもよいことを理解されたい。
【００３９】
構造体３４０及び３３０の距離Ｄ２は、基部棒３０２、３０４の後方への押しを受け入れるために、より長いものになり、したがって、フォーム構造体３４０及び３３０は、およそ５．５インチの距離Ｄ２を有し、及び中間棒３１４の上方の高さは、およそ２インチを有する。側部棒３０２及び３０４の長さ（「Ｗ」）は、６インチのまま残る。さらに、後方棒３１８に結合された基部固定構造体３７０、３７２、及び３７４が与えられる。
【００４０】
本発明のさらに別の代替的な実施形態が図４及び図５に示される。ケージシステム４００は、ケージ４０１及びアンカーボルト４２０、４２２を含む。ケージ４０１は、図３Ａないし図３Ｃに示されたケージ３０１の構成と同様である。ケージ４０１は、上部棒４１４、側部棒４０６及び４０８、前底部棒４１６、基部棒４０４及び４０２、及び後底部棒４１８を有する鉄筋構造を備える。前支持棒４１０及び４１２は、基部棒４０２、４０４と前底部棒４１６との交差部分を、側部棒４０６、４０８と上部棒４１４との交差部分と連結する。後支持棒４１１、４１３は、基部棒４０２、４０４と後底部棒４１８との交差部分を、側部棒４０６、４０８と上部棒４１４との交差部分と連結する。特定の構成のケージ４０１は、該ケージが、アンカーボルト４２０及び４２２を固定するための構造的に簡潔な鉄筋ケージを与える限りは、多数の好適な実施形態により達成できることを認識されたい。さらに、後棒４１８に結合された基部固定構造体４７０、４７２及び４７４が与えることができる。
【００４１】
図４及び図５の実施形態においては、各アンカーボルトには、Ｓ字形状端部が与えられる。同様な構成のアンカーボルトは、米国意匠特許番号第３５４，９０５号に示されている。アンカーボルト４２０及び４２２は、本発明の最初の２つの実施形態に示されたアンカーボルトに対する代替技術である。アンカーボルト４２０及び４２２は、タイ４６２、４６４によって、ケージ４０１の上方端部において上部棒４１４に連結され、タイ４６６、４６８によって、下方端部において底部棒４１６に連結される。アンカーボルトの下方のＳ字形状端部は、側部４０２、４０４、４１６及び４１８により形成されたケージ４０１の基部の外側に与えられる。ボルトの端部の位置は、ボルトのねじ付き部分（又は部材の固定部分）が構造体の上方に延びて、土台の表面が表面に対して直角になるように、ボルトの種類に基づいて変更できることを認識されたい。ここでも、ボルトは、土台の注ぎ及び硬化中に、該ボルトがケージ４０１に対するその位置を保持することをに確実にするのに十分などのような方法によっても固定することができる。図４及び図５に示される実施形態は、前の実施形態のそれと同様な方法により設置される。ケージ４０１の寸法は、ケージ３０１と同様なものであるが、これらの寸法は例示的なものであることが理解される。
【００４２】
上述のように、述べられたケージ構造体は、例示的なものに過ぎない。幾多の代替的な構造体を与えることができる。例えば、鉄筋ケージは、立方体構造、直方体構造、球体構造、又は、コンクリートが注がれる前に、アンカー部材が、コンクリートフォームに対して、コンクリートフォーム内に支持されるのを可能にする、あらゆる三次元構造からなることができる。
【００４３】
本発明の上記の詳細な説明は、例示及び説明目的で与えられる。これは、網羅的なものではないし、本発明を、開示された精密な形態に限定するものでもない。上述の教示を考慮して、多数の修正及び変形が可能である。例えば、図３から図５までの実施形態においては、側部棒を除去してもよい。ケージの建設方法を変更してもよい。例えば、種々の実施形態において、単一の鉄筋部品を曲げて、側部棒及び上部棒を形成することができる。或いは、単一の鉄筋部品を曲げて、支持棒及び上部棒、前底部棒又は後底部棒及び支持棒、基部棒及び前又は後棒（又は両方）などを形成することができる。これらの実施形態は、すべて本発明の範囲内にあると想定される。述べられた実施形態は、本発明の原理及び実際的な適用例を最良に説明するために選択されたものであり、これによって、他の当業者が種々の実施形態において、及び想定される特定の使用に適した種々の修正をもって、本発明を最良に使用できるようにするものである。本発明の範囲は、添付の特許請求の範囲により定義されることが意図される。
【図面の簡単な説明】
【００４４】
【図１】本発明によるアンカーケージシステムの第１の実施形態の斜視図を示す。
【図２Ａ】図１に示されるアンカーケージシステムの第１の実施形態の側面図である。
【図２Ｂ】図１に示されるアンカーケージシステムの第１の実施形態の平面図である。
【図２Ｃ】図１に示されるアンカーケージシステムの第１の実施形態の上面図である。
【図３Ａ】図１に示されるアンカーケージの第２の実施形態の側面図である。
【図３Ｂ】図１に示されるアンカーケージの第２の実施形態の平面図である。
【図３Ｃ】図１に示されるアンカーケージの第２の実施形態の上面図である。
【図４】本発明によるアンカーケージシステムの第３の実施形態の斜視図を示す。
【図５Ａ】図４に示されるアンカーケージシステムの第１の実施形態の側面図である。
【図５Ｂ】図４に示されるアンカーケージシステムの第１の実施形態の平面図である。
【図５Ｃ】図４に示されるアンカーケージシステムの第１の実施形態の上面図である。
【符号の説明】
【００４５】
５０：敷土台
５５：コンクリートの土台
１００：ケージシステム
１０１：アンカーケージ
１０２、１０４：基部棒
１０６、１０８：側部棒
１１４：上部棒
１１６：前底部棒
１１８：後底部棒
１２０、１２２：アンカーボルト
１２４、１２６：ねじ付き部分
１３０、１４０：ケージ位置決め構造体
【図１】
2005325683.tif 000003
【図２Ａ】
2005325683.tif 000004
【図２Ｂ】
2005325683.tif 000005
【図２Ｃ】
2005325683.tif 000006
【図３Ａ】
2005325683.tif 000007
【図３Ｂ】
2005325683.tif 000008
【図３Ｃ】
2005325683.tif 000009
【図４】
2005325683.tif 000010
【図５Ａ】
2005325683.tif 000011
【図５Ｂ】
2005325683.tif 000012
【図５Ｃ】
2005325683.tif 000013
【外国語明細書】
2005325683.tif 000014
2005325683.tif 000015
2005325683.tif 000016
2005325683.tif 000017
2005325683.tif 000018
2005325683.tif 000019
2005325683.tif 000020
2005325683.tif 000021
2005325683.tif 000022
2005325683.tif 000023
2005325683.tif 000024
2005325683.tif 000025
2005325683.tif 000026
2005325683.tif 000027
2005325683.tif 000028
2005325683.tif 000029
2005325683.tif 000030
2005325683.tif 000031
2005325683.tif 000032
2005325683.tif 000033
2005325683.tif 000034
2005325683.tif 000035
2005325683.tif 000036
2005325683.tif 000037
2005325683.tif 000038
2005325683.tif 000039
2005325683.tif 000040
2005325683.tif 000041
2005325683.tif 000042
2005325683.tif 000043
2005325683.tif 000044
2005325683.tif 000045